(57)【要約】【課題】テントの内側から、換気部にカバーを被せることができ、また、換気部のカバーを外すことができるテント用換気構造を提供すること。【解決手段】換気部１０２と、換気部１０２を覆い、下方１０３ａをアーチ状に形成することで、換気部１０２と換気部カバー１０３との間に外部と連通する通気空間１０４を形成している換気部カバー１０３と、からなるテント用換気構造１００であって、換気部カバー１０３には、紐１０５が取り付けられており、紐１０３は、テント用シート１０１に設けられたガイド部材１０７を経由して、テント用シート１０１の貫通孔１０８に挿入されていることにより、紐１０５をテント用シート１０１の内側から引っ張ることで通気空間１０４の外部との連通を遮断することができるようにしたテント用換気構造１００を提供する。【選択図】図２
2004332312.tif 000002
【特許請求の範囲】
【請求項１】
テント用シートの側面の一部を網又はメッシュで形成した換気部と、
下方の一部を除いて前記換気部の周囲に取り付けられており、前記換気部を前記テント用シートの外側から覆う換気部カバーと、からなり、
前記一部を前記テント用シートの外側に突出するアーチ状に形成することにより、前記換気部と前記換気部カバーとの間に外部と連通した通気空間が形成されているテント用換気構造であって、
前記換気部カバーの内側面であって、前記一部の側には、引っ張り用部材が取り付けられており、
前記引っ張り用部材は、前記テント用シートに設けられた貫通孔を介して前記テント用シートの内側に挿入されており、
前記引っ張り用部材を前記テント用シートの内側から引っ張り、前記換気部カバーの内側面と前記テント用シートとを密着させることで、前記テント用シートの内側から前記通気空間の外部との連通を遮断することができるようにしたことを特徴とするテント用換気構造。
【請求項２】
前記換気部カバーは、上方を頂点とする三角形又は扇状に形成されており、前記一部は、三角形又は扇状に形成されている前記換気部カバーの底辺に設けられていることを特徴とする請求項１に記載のテント用換気構造。
【請求項３】
前記貫通孔は、前記換気部カバーの内側に位置するように設けられていることを特徴とする請求項１又は２に記載のテント用換気構造。
【請求項４】
前記引っ張り用部材は、前記換気部カバーの内側面であって、前記テント用シートに設けられている前記貫通孔と対称となる位置に取り付けられていることを特徴とする請求項３に記載のテント用換気構造。
【請求項５】
前記引っ張り用部材は紐からなり、前記紐は、前記換気部カバーの内側面に取り付けられており、前記テント用シートには、前記紐の取り付け部と対称となる位置にガイド部材が設けられており、
前記紐は、前記ガイド部材を介して、前記貫通孔に挿入されていることを特徴とする請求項３に記載のテント用換気構造。
【請求項６】
前記換気部カバーには、前記換気部カバーを前記テント用シートから離した状態を保持する弾性部材が取り付けられており、
前記引っ張り用部材には、前記テント用シートの内側において前記引っ張り用部材を固定する固定部材が取り付けられており、前記換気部カバーの内側面と前記テント用シートとを密着させた状態で前記固定部材による固定を解除すると前記弾性部材の弾性力により前記換気部カバーが前記テント用シートから離れ、前記通気空間が外部空間と連通するようにされていることを特徴とする請求項１乃至５の何れか一項に記載のテント用換気構造。
【請求項７】
請求項１乃至６の何れか一項に記載されたテント用換気構造が設けられていることを特徴とするテント。
【請求項８】
インナーテントとアウターテントとの二重構造にされているテントであって、
前記アウターテントには請求項１乃至６の何れか一項に記載されたテント用換気構造が設けられており、
前記インナーテントには、前記引っ張り用部材を挿入するためのインナーテント用貫通孔が設けられていることを特徴とするテント。
【発明の詳細な説明】
【０００１】
【発明の属する技術分野】
本発明は、テントに設けられる換気構造に関する。
【０００２】
【従来の技術】
従来から、キャンプ場等の屋外で宿泊するために、骨組みにテント用シートを取り付けることにより形成されるテントが使用されているが、従来のテントにおいては、テント用シートに換気用のメッシュ部材が設けられており、この換気用のメッシュ部材には、雨等が降った場合などに外側からカバーを被せることができるようにされていた（例えば、特許文献１又は２参照。）。
【０００３】
【特許文献１】
特開平７−１３９２２８号公報
【０００４】
【特許文献２】
特開平１０−１８６５０号公報
【０００５】
【発明が解決しようとする課題】
しかしながら、従来のテントでは、換気用のメッシュ部材にカバーを被せる場合には、テントの外側に出てカバーを被せる構成にされており、テントの内側からカバーを被せることができるような構成にはされていないため、雨等が降ってきた場合にも、換気用のメッシュ部材にカバーを被せるにはテントの外側に出なければならず不便であった。
【０００６】
そこで、本発明は、テントの外側に出ることなく、換気部にカバーを被せることができ、また、テントの内側から換気部のカバーを外すことができるテント用換気構造を提供することを目的とする。
【０００７】
【課題を解決するための手段】
以上の課題を解決するため、本発明は、テント用シートの側面の一部を網又はメッシュで形成した換気部と、下方の一部を除いて前記換気部の周囲に取り付けられており、前記換気部を前記テント用シートの外側から覆う換気部カバーと、からなり、前記一部を前記テント用シートの外側に突出するアーチ状に形成することにより、前記換気部と前記換気部カバーとの間に外部と連通した通気空間が形成されているテント用換気構造であって、前記換気部カバーの内側面であって、前記一部の側には、引っ張り用部材が取り付けられており、前記引っ張り用部材は、前記テント用シートに設けられた貫通孔を介して前記テント用シートの内側に挿入されており、前記引っ張り用部材を前記テント用シートの内側から引っ張り、前記換気部カバーの内側面と前記テント用シートとを密着させることで、前記テント用シートの内側から前記通気空間の外部との連通を遮断することができるようにしたことを特徴とするテント用換気構造を提供する。
【０００８】
テント用シートの側面の一部に設けられている換気部は、テント用シートの側面の一部を網又はメッシュで形成することにより構成されている。
【０００９】
ここで、網又はメッシュは、テントの内部に虫が進入するのを防止することができる程度の穴が空いているものを適時選択して使用することができる。
【００１０】
この換気部の周囲には、下方の一部を除いて換気部カバーが取り付けられている。
【００１１】
そして、この換気部カバーは、換気部をテント用シートの外側から覆うように形成されており、テント用シートに取り付けられていない下方の一部をテント用シートの外側に突出するアーチ状に形成することにより、換気部と換気部カバーとの間に外部と連通した通気空間が形成されている。
【００１２】
したがって、換気部と換気部カバーとの間には、外部と連通した通気空間が介在し、この通気空間は外部と連通しているため、換気部は、テントの内部と外部との間で換気を行うことができるようにされている。
【００１３】
ここで、換気部カバーの形状・大きさについては、換気部を覆うことができ、換気部との間に所定の通気空間を形成することができる範囲で適時選択することができるが、例えば、換気部カバーの形状を、上方を頂点とする三角形又は扇状に形成し、このような換気部カバーの底辺にテント用シートに取り付けられていないアーチ状の一部を形成することで、雨等がテント用シートを伝って下方に流れる際に、その流れがこの換気部カバーによって妨げられることがなくなると共に、このような雨が換気部を介してテントの内部に入り込むことがなくなり、好適である。
【００１４】
換気部カバーの内側面であって、テント用シートに取り付けられていない一部の側には、引っ張り用部材が取り付けられており、この引っ張り用部材は、テント用シートに設けられた貫通孔を介してテント用シートの内側に挿入されている。
【００１５】
引っ張り用部材については、換気部カバーを引っ張ることができるものであればどのようなものであってもよいが、例えば、棒や紐等を用いることができる。
【００１６】
ここで、貫通孔は、雨が降った場合でも雨がテントの内部に入り込まないように、換気部カバーの内側に位置するように設けることが望ましい。
【００１７】
また、引っ張り用部材の取り付け位置については、換気部カバーの内側に位置する貫通孔と対称となるとなる位置に設けることで、スムーズに換気部カバー引っ張り、この換気部カバーとテント用シートとを密着させることができるようになる。
【００１８】
さらに、引っ張り用部材として紐を用い、テント用シートには、換気部カバーの内側面に取り付けられている紐の取り付け部と対称となる位置にガイド部材を設けておき、紐を、このガイド部材を介して、貫通孔に挿入することで、換気部カバーの内側に貫通孔を設けた場合でも、スムーズに換気部カバーをテント用シートの方に引っ張ることができるようになる。
【００１９】
そして、テント用シートの内側に挿入されている引っ張り用部材をテント用シートの内部から引っ張ることにより、換気部カバーをテント用シートの方に引っ張り、換気部カバーとテント用シートとを密着させることで、テント用シートの内側から通気空間の外部との連通を遮断することができるようになる。
【００２０】
また、換気部カバーには、換気部カバーをテント用シートから離した状態を保持する弾性部材を取り付けておき、テント用シートの内部に挿入されている引っ張り用部材には、このテント用シートの内側において引っ張り用部材を固定する固定部材を取り付けておくことにより、換気部カバーとテント用シートとを密着させた状態でこの固定部材を外すと弾性部材の弾性力により換気部カバーがテント用シートから離れ、通気空間が外部空間と連通するようにすることも可能である。
【００２１】
ここで、弾性部材としては、弾性樹脂やバネ鋼等を用いればよい。
【００２２】
以上に記載したテント用換気構造は、テント用シートの側面に設けることが可能であり、また、テントがインナーテントとアウターテントとの二重構造にされている場合には、アウターテントのテント用シートに上述したテント用換気構造を設けておき、インナーテントには、引っ張り用部材を挿入するためのインナーテント用貫通孔を設けておくことで、このインナーテント用貫通孔を介して引っ張り用部材をインナーテントの内部に挿入し、インナーテントの内側から、通気空間の外部への連通を遮断することができるようにすることも可能である。
【００２３】
【発明の実施の形態】
図１は、本発明の一実施形態に係るテント用換気構造１００の下方斜視図であり、図２は、図１のＡ−Ａ’線における矢示方向からみた一部断面図である。
【００２４】
テント用換気構造１００は、テント用シート１０１の側面の一部に設けられた換気部１０２と、換気部１０２の周囲に取り付けられ、換気部１０２を覆う換気部カバー１０３と、換気部カバー１０３の下辺１０３ａ側に取り付けられている紐１０５と、紐１０５を通すガイド部材１０７と、テント用シート１０１に設けられた貫通孔１０８と、換気部カバー１０３をテント用シート１０１から離した状態を保持する弾性樹脂１０９と、紐１０５を固定するストッパー１１０と、からなる。
【００２５】
換気部１０２は、テント用シート１０１の一部をメッシュ部材により形成することで構成されており、換気部１０２の形状については、換気部カバー１０３に覆われているため図１では明らかにされていないが、テント用シート１０１の下方が底辺となるような三角形に形成されている。
【００２６】
これは、後述する換気部カバー１０３の形状に合わせたものであり、この形状に特に限られるわけではなく、円形、四角形等、換気部カバー１０３により覆うことができるものであればどのような形状であっても良い。
【００２７】
なお、図１においては、Ｘ方向がテント用シート１０１の下方であり、Ｘ’方向がテント用シート１０１の上方である。
【００２８】
換気部１０２の周囲に縫合されている換気部カバー１０３は、下辺１０３ａのみがテント用シート１０１に縫合されておらず、この下辺１０３ａをアーチ状に形成することで、換気部１０２と換気部カバー１０３との間に外部と連通した通気空間１０４を形成し、換気部１０２は、この通気空間１０４を介して換気を行うようにされている。
【００２９】
ここで、換気部カバー１０３の下辺１０３ａのみをテント用シート１０１に縫合しなかったのは、雨や雪等が直接吹き込まないようにすると共に、雨や雪等が降ってきた場合に、テント用シート１０１を伝って下方（図１のＸ方向）に流れる水が、換気部１０２を介してテント用シート１０１の内部に入り込まないようにするためである。
【００３０】
また、本実施形態では、換気部カバー１０３の下辺１０３ａ全体をアーチ状に形成しているが、この下辺１０３ａの一部のみをアーチ状に形成し、その他の部分はテント用シート１０１に縫合することも可能である。
【００３１】
なお、テント用シート１０１と換気部カバー１０３とは、同一素材により形成することが望ましく、本実施形態では、表面にポリウレタンコーティングを施したナイロンタフタを用いているが、これに限られるわけではなく、テント用のシートを構成するのに適する素材であれば、広く何でも使用することができる。
【００３２】
また、本実施形態では、換気部カバー１０３は、上方に頂点１０３ｂを有する扇状に形成されているが、これも、雨等が降った場合に、水がテント用シート１０１を伝って下方（図１のＸ方向）に流れやすくするためであり、特にこの形状に限られるわけではなく、図３に表した換気部カバー２０３の様に半円形の形状であってもよく、その他、四角形等であっても良い。
【００３３】
換気部カバー１０３の内側面１０３ｃであって、その下辺１０３ａ側には、紐１０５が取り付け片１０６を介して取り付けられており、図２に表されているように、紐１０５は、取り付け片１０６と対称の位置に設けられているガイド部材１０７を経由して、貫通孔１０８を通じて、テント用シート１０１の内側に挿入されている。
【００３４】
紐１０５を換気部カバー１０３に取り付けている取り付け片１０６は、換気部カバー１０３の下辺１０３ａ側の中央部に縫合されており、この取り付け片１０６に設けられている孔１０６ａに紐１０５を通すことで、紐１０５は換気部カバー１０３に取り付けられている。
【００３５】
テント用シート１０１に取り付けられているガイド部材１０７は、取り付け片１０６の真下、即ち、取り付け片１０６とは対称となる位置のテント用シート１０１に設けられている。
【００３６】
また、ガイド部材１０７は、テント用シート１０１との間に紐１０５を通すためにブリッジ状に形成されている。
【００３７】
貫通孔１０８は、換気部カバー１０３に覆われるように、換気部カバー１０３の内側、即ち、換気部カバー１０３をテント用シート１０１の側に倒した場合に、換気部カバー１０３によって覆われるように、換気部カバー１０３の下辺１０３ａよりも上方（即ち、図１のＸ’の方向）の位置に設けられている。
【００３８】
このように、貫通孔１０８は、換気部カバー１０３の下辺１０３ａよりも上方に設けられているが、取り付け片１０６と対称となる位置に設けられているガイド部材１０７を経由して紐１０５を貫通孔１０８に挿入しているため、紐１０５を引っ張った際にも、スムーズに換気部カバー１０３がテント用シート１０１の方向に引っ張られることとなる。
【００３９】
なお、このようなガイド部材１０７を取り付ける代わりに、例えば、図４に表されているように、換気部カバー１０３の内側面１０３ｃにおいて、換気部カバー１０３の内側にある貫通孔１０８と対称となる位置に取り付け片１０６を用いて紐１０５を取り付けることによっても、スムーズに換気部カバー１０３をテント用シート１０１の方向に引っ張ることができる。
【００４０】
なお、このようにして貫通孔１０６に挿入された紐１０５は、図５に表されているテント用シート１０１の背面図のように、テント用シート１０１の内側から引っ張ることができるようにされている。
【００４１】
そして、紐１０５をテント用シート１０１の内側、即ち、このようなテント用シート１０１により囲まれたテントの内側から引っ張ることにより、図５に表されているように、換気部カバー１０３がテント用シート１０１の方向（即ち、図５のＹ方向）に引っ張られ、換気部カバー１０３の内側面１０３ｃとテント用シート１０１とが密着し、通気空間１０４と外部との連通を遮断することができるようになる。
【００４２】
したがって、雨が降ってきた場合や寒い場合などにも、テントの外に出ることなく、テントの内側から通気空間１０４と外部との連通を遮断することができる。
【００４３】
なお、換気部カバー１０３には、換気部カバー１０３をテント用シート１０１から離した状態を保持する弾性樹脂１０９が取り付けられている。
【００４４】
弾性樹脂１０９は、半円形の形状を有しており、これを換気部カバー１０３の端１０３ｄから端１０３ｅまで取り付けることにより、換気部カバー１０３は、換気部１０２と換気部カバー１０３との間に通気空間１０４が介在するような状態に保持される。
【００４５】
そして、紐１０５をテント用シート１０１の方向に引っ張って通気空間１０４と外部との連通を遮断した際には、この弾性樹脂１０９により、換気部カバー１０３は、テント用シート１０１から離れる方向（図５のＺ方向）に付勢されるため、図６に表されているように、換気部カバー１０３がテント用シート１０１から離れないように、テント用シート１０１の内側から紐１０５にストッパー１１０を取り付けることで、通気空間１０４と外部との連通を遮断した状態を保持することができるようにされている。
【００４６】
ここで、通気空間１０４と外部との連通を遮断した状態で、即ち、換気部カバー１０３の内側面１０３ｃとテント用シート１０１とを密着させた状態で、ストッパー１１０による固定を解除して、紐１０５をテント用シート１０１の内側から外側に送り出すことで、弾性樹脂１０９の弾性力により、換気部カバー１０３はテント用シート１０１から離され、通気空間１０４と外部との連通が確保されることとなる。
【００４７】
図７はストッパー１１０の構造を表す一部透視図である。
【００４８】
ストッパー１１０は、本体１１１と、可動体１１２とからなる。本体１１１は一端が閉じており、他端が開口している中空の円筒形状をなしている。可動体１１２は、本体１１１の長さ方向において本体１１１の内部を移動可能である大きさを有している。
【００４９】
本体１１１の閉じた側の端部にはバネ部材１１３がその一端において取り付けられており、バネ部材１１３はその他端において可動体１１２に固定されている。
【００５０】
バネ部材１１３は、可動体１１２を本体１１１から外部に押し出す方向Ｓに、可動体１１２に対して付勢力を与えている。
【００５１】
本体１１１の側壁には貫通孔１１４が設けられており、貫通穴１１４は本体１１１の反対側の側壁まで貫通している。同様に、可動体１１２にもその直径方向に貫通している貫通穴１１５が設けられている。
【００５２】
図７に示すように、２つの貫通穴１１４と１１５とが重なり合った領域には、紐１０５が通されている。
【００５３】
可動体１１２はバネ部材１１３により、Ｓ方向に付勢されているため、紐１０５は貫通穴１１４の端部１１４ａと貫通穴１１５の端部１１５ａとの間に挟み込まれ、紐１０５は固定される。
【００５４】
紐１０５をゆるめる場合には、可動体１１２をバネ部材１１３に抗して本体１１１の中に押し込み、２つの貫通穴１１４と１１５とが重なり合う領域を広げることによって、紐１０５は貫通穴１１４の端部１１４ａと貫通穴１１５の端部１１５ａとの間に挟み込まれた状態から解放すればよい。
【００５５】
したがって、換気部カバー１０３をテント用シート１０１の方向に倒した状態で、テント用シート１０１の内側からストッパー１１０による固定を外すことにより、弾性樹脂１０９の弾性力により、換気部カバー１０３は、テント用シート１０１から離れる方向に移動するため、換気部１０２と換気部カバー１０３との間の通気空間１０４を外部と連通させることができるようになる。
【００５６】
なお、以上に記載したテント用換気構造１００は、テント用シートが一重構造にされている場合に適用される構造であって、テントがインナーテントとアウターテントとの二重構造にされている場合には、図８に表されているように、アウターテント２２０のテント用シート２０１Ａに上述したテント用換気構造１００を設けておき、インナーテント２２１には、紐１０５を挿入するためのインナーテント用貫通孔２２２を、アウターテント２２０の貫通孔２０８に対応した位置に設けておくことで、このインナーテント用貫通孔２２２を介して紐１０５をインナーテント２２１の内部に挿入し、インナーテント２２１の内側から、通気空間１０４の外部への連通を遮断することができるようにすることも可能である。
【００５７】
なお、この場合、ストッパー１１０についても、インナーテント２２１のテント用シート２０１Ｂの内側に取付けておくことで、インナーテント２２１の内側において、このストッパー１１０を用いることができるようになる。
【００５８】
【発明の効果】
以上のように、本発明を構成したので、テントの外側に出ることなく、換気部にカバーを被せることができ、また、テントの内側から換気部のカバーを外すことができるテント用換気構造を提供することができる。
【図面の簡単な説明】
【図１】一実施形態に係る換気構造１００の下方斜視図。
【図２】図１のＡ−Ａ’線における矢示方向からみた一部断面図。
【図３】換気部カバー１０３の変形例。
【図４】紐１０５の取り付け位置の変更例。
【図５】換気部カバー１０３がテント用シート１０１の方向に倒した際の下方斜視図。
【図６】テント用シート１０１の背面図。
【図７】ストッパー１１０の構造を表す一部透視図。
【図８】テントがアウターテント２２０とインナーテント２２１との二重構造にされている場合の換気構造１００の適用例。
【符号の説明】
１００  テント用換気構造
１０１、２０１  テント用シート
１０２  換気部
１０３  換気部カバー
１０４  通気空間
１０５  紐
１０６  取り付け片
１０７  ガイド部材
１０８  貫通孔
１０９  弾性樹脂
１１０  ストッパー
２２０  アウターテント
２２１  インナーテント
２２２  インナーテント用貫通孔
【図１】
2004332312.tif 000003
【図２】
2004332312.tif 000004
【図３】
2004332312.tif 000005
【図４】
2004332312.tif 000006
【図５】
2004332312.tif 000007
【図６】
2004332312.tif 000008
【図７】
2004332312.tif 000009
【図８】
2004332312.tif 000010